(57)【要約】略垂直な表面に沿って配置されるように構成された担持表面を有するベースと、ペッグの一部がベースの担持表面に対して略直角に担持表面に対向するベースの外表面から突出する、ベース上に取り付けられた１つの端部を有する細長いペッグとを備えるハンガ。ペッグは、ベースの担持表面が、略垂直な表面に沿って配置されたとき、最上部に配置されるように構成された軸方向に延在する表面部分を有し、この軸方向に伸びる表面部分は、ペッグの周囲と、ペッグの上にかかっている紙のシートが、ペッグが軸方向に自由に移動することを制限する。軸方向に延在する表面部分は、ペッグの上の接着剤の層によって、またはペッグの上に近接して配置された鋭いエッジによって、画定することができる。そのような鋭いエッジは、ペッグの周囲のねじ山や、ペッグを横切って延在するリッジや、ペッグ上に形成された鋸歯上にあることができ、またはペッグに沿って接着された研磨顆粒近傍にあることができる。
2004512123.tif 000002
【特許請求の範囲】
【請求項１】
１枚以上の紙のシート用のハンガであって、
略垂直な表面に沿って配置されるように構成された担持表面と、対向する外表面とを有するベースと、
縦軸と、縦方向に間隔をおいて配置された第１端部および第２端部とを有する細長いペッグであって、前記第１端部に隣接する前記ペッグの一部が、使用位置において前記ベースに取り付けられ、前記ペッグの軸が前記担持表面に対して略直角であり、前記第２端部に隣接する前記ペッグの少なくとも一部が、前記外表面から突出しており、前記担持表面が、略垂直な表面に沿って配置されたとき、前記ペッグが、最上部に配置されるように構成された軸方向に延在する表面部分を有し、前記ペッグの前記軸方向に延在する表面部分は、前記ペッグの軸方向に関して、前記ペッグの周囲で紙のシートが自由に移動することを制限するような細長いペッグと、
を備えるハンガ。
【請求項２】
前記ペッグの前記軸方向に延在する表面部分は、前記ペッグの軸方向に関して、前記ペッグの周囲で紙のシートが自由に移動することを制限する近接して配置された鋭いエッジを画定する、請求項１に記載のハンガ。
【請求項３】
前記鋭いエッジが、前記ペッグの軸の周囲に延在するねじ山によって画定される、請求項２に記載のハンガ。
【請求項４】
前記ペッグが、前記鋭いエッジを有するピークを形成するように鋸歯化される、請求項２に記載のハンガ。
【請求項５】
前記ペッグが、前記鋭いエッジを有する研磨顆粒のコーティングを含む、請求項２に記載のハンガ。
【請求項６】
前記ペッグが、前記鋭いエッジを有する軸方向に間隔をおいて配置された横方向リッジを有する、請求項２に記載のハンガ。
【請求項７】
前記ペッグは、前記ペッグの軸方向に関して、前記ペッグの周囲で紙のシートが自由に移動することを制限する前記ペッグの前記軸方向に延在する表面部分を画定する接着剤のコーティングを含む、請求項１に記載のハンガ。
【請求項８】
前記ペッグの前記第２端部が、尖っている、請求項１に記載のハンガ。
【請求項９】
前記ペッグが、約０．１７インチ（０．４３ｃｍ）未満の直径を有し、かつ約０．１５から０．３０インチ（０．３８から０．７６ｃｍ）の範囲の距離だけ、前記外表面から突出する、請求項１に記載のハンガ。
【請求項１０】
前記ペッグが、約０．１１インチ（０．２８ｃｍ）の直径を有し、かつ約０．１５から０．３０インチ（０．３８から０．７６ｃｍ）の範囲の距離だけ、前記ベースの前記外表面から突出する、請求項１に記載のハンガ。
【請求項１１】
前記ベースの前記担持表面に接着され、かつ略垂直な表面に前記ベースを接着するように構成された所定長さの伸張はく離接着剤をさらに含む、請求項１に記載のハンガ。
【請求項１２】
前記ペッグの前記第２端部は、前記使用位置と、前記ペッグが前記ベースの前記外表面に沿って延在する保管位置との間で、前記ペッグが移動するように、前記ベースの上に取り付けられる、請求項１に記載のハンガ。
【請求項１３】
１枚以上の紙のシート用のハンガであって、
略垂直な表面に沿って配置されるように構成された担持表面と、対向する外表面とを有するベースと、
縦軸と、縦方向に間隔をおいて配置された第１端部および第２端部とを有する細長いペッグであって、前記第１端部に隣接する前記ペッグの部分が、前記ベースの上に取り付けられ、前記ペッグの軸が、前記担持表面に対して略直角であり、前記第２端部に隣接するペッグの少なくとも一部が、前記外表面から突出し、かつ近接して配置された鋭いエッジを画定する軸方向に延在する表面部分を有しており、前記担持表面が、略垂直な表面に沿って配置されたとき、前記表面部分が、最上部に配置されるように構成される前記鋭いエッジを画定し、これにより、前記鋭いエッジは、ペッグの軸方向に関して、前記ペッグの周囲で紙のシートが移動することを制限するような細長いペッグと、
を備えるハンガ。
【請求項１４】
前記鋭いエッジが、前記ペッグの前記軸の周囲に延在するねじ山によって画定される、請求項１３に記載のハンガ。
【請求項１５】
前記ペッグが、前記鋭いエッジを有するピークを形成するように鋸歯化される、請求項１３に記載のハンガ。
【請求項１６】
前記ペッグが、前記鋭いエッジを有する研磨顆粒のコーティングを含む、請求項１３に記載のハンガ。
【請求項１７】
前記ペッグの前記第２端部が尖っている、請求項１３に記載のハンガ。
【請求項１８】
１枚以上の紙のシート用のハンガであって、
略垂直な表面に沿って配置されるように構成された担持表面と、対向する外表面とを有するベースと、
縦軸と、縦方向に間隔をおいて配置された第１端部および第２端部とを有する細長いペッグであって、前記第２端部に隣接する前記ペッグの少なくとも一部が、近接して配置された鋭いエッジを画定する軸方向に延在する表面部分を有するような細長いペッグと、
を備え、
前記ペッグの前記第２端部は、前記ペッグが前記ベースの外表面に沿って延在する保管位置と、前記ペッグの軸が前記担持表面に対して略直角である使用位置との間で、前記ペッグが移動するように前記ベースの上に取り付けられ、前記第２端部に隣接する前記ペッグの前記部分が、前記外表面から突出し、これにより、前記担持表面が略垂直な表面に沿って配置され、前記ペッグの軸方向に関して、前記ペッグの周囲の紙のシートの移動が制限されるとき、前記鋭いエッジを最上部に位置決めすることができるハンガ。
【請求項１９】
前記鋭いエッジが、前記ペッグに沿って軸方向に間隔をおいて配置された横方向リッジによって画定される、請求項１８に記載のハンガ。
【発明の詳細な説明】
【０００１】
（技術分野）
本発明は、略垂直な表面に沿って配置されるように構成された担持表面を有するベースと、カレンダまたはポスタなどの物体をかけることができる、ベースの対向する外表面からの突出部とを含んでいるタイプのハンガに関する。
【０００２】
（背景技術）
当技術分野には、略垂直な表面に沿って配置され、かつ取り付けられるように構成された担持表面を有するベースと、カレンダまたはポスタなどの物体をかけることができるベースの対向する外表面からの突出部とを含んでいるタイプのハンガが豊富に存在する。通常、そのようなハンガの上の突出部は、湾曲し、一般に上方に突出しており、そのような物体をうまく担持するが、様々な異なる位置を通して物体を動かし、物体が突出部の上で担持されるハンガのベースに隣接する位置まで、突出部の長さに沿って物体を進めるようにしなければならない。これは、カレンダなど、ハンガの上で担持される多数シートの物体のすべてが、ハンガに担持され、ハンガの突出部の上を一緒に移動するときは、特に厄介ではない。しかし、多数シートの物体またはカレンダが、すでにハンガの上で担持されているとき、および物体またはカレンダの１枚のみまたは全シートの一部を突出部の上に、または突出部から移動するのが所望であるとき（たとえば、新しい月のシートを表示するとき、または現在表示している月の次または前の月を見たいとき）、より厄介なことがある。１枚のシートを突出部の上に、または突出部から移動させることによって、多数シート物体またはカレンダ全体が持ち上がる可能性がある。注意しなかった場合、カレンダの重量のために、突出部に沿って移動させている１枚のシートを破ることがあり、したがって、もはや突出部の上に保持することができない。
【０００３】
（発明の開示）
本発明は、カレンダなどの多数シート物体を容易に受け、かつ担持することができるハンガを提供し、物体またはカレンダの１枚のみまたは全シートの一部を、１枚以上のシートを破る危険をほとんど冒さずに、ハンガの上に、またはハンガから、容易に移動させることができるようにする。
【０００４】
本発明によるハンガは、略垂直な表面に沿って配置されるように構成された担持表面を有するベースと、縦軸と、縦方向に間隔をおいて配置された第１端部および第２端部とを有する細長い突出部またはペグとを備える。第１端部に隣接するペグの部分は、ベースの上に取り付けられ、ペグの軸は、ベースの担持表面に対して略垂直であり、第２端部に隣接するペグの部分は、担持表面に対向するベースの外表面から突出する。ペッグは、ベースの担持表面が、略垂直な表面に沿って配置されたとき、最上部に配置されるように構成された、軸方向に延在する表面部分を有し、ペグのこの軸方向に延在する表面部分は、ペグの軸方向に関して、ペグの周囲で紙のシートが自由に移動することを制限する。この軸方向に延在する表面部分は、ペッグ上の接着剤の層によって、またはペグ上に近接して配置された鋭いエッジによって画定される。そのような鋭いエッジは、ペグの周囲に延在するねじ山、またはペグを横切って延在するリッジとすることができ、またはローレット切りあるいはペッグ上に鋸歯形を作ることによって、または研磨顆粒でペッグをコーティングすることによって、ペッグの上に形成された突出部の上の鋭いエッジとすることができる。
【０００５】
ペッグは、ハンガを受けるために、カレンダまたは他の文書に通常穴あけされた開口の直径と比較して、小さい直径（たとえば、約０．１７インチすなわち０．４３ｃｍ未満であり、０．１１インチすなわち０．２８ｃｍ未満であることが好ましい）を有し、ペッグは、ハンガの外表面から、短い距離だけ突出し（たとえば、約０．１５から０．３０インチ、すなわち０．３８から０．７６ｃｍの範囲）、したがって、カレンダをペッグの周囲に容易に配置することができ、カレンダの１枚または全シートの一部を、動かしている１枚以上のシートを破る危険を冒さずに、垂直に延在している短いペッグ上に、またはペッグから、容易に動かすことができる。しかし、シートが、ペッグの上で担持されているとき、ペッグの上面に沿った鋭いエッジまたは接着剤が、ペッグの周囲のシートを効果的に保持する。
【０００６】
本発明によるハンガは、ハンガのペッグ受け用に位置合わせされた実装開口をシートに有する多数シート文書をかけるのに特に有用であるが、そのような実装開口を有していない１枚以上のシートをかけるのにも非常に有用である。そのようなシート（手紙、メモ、請求書、レストランの注文書など）は、ペッグの外端部または第２端部の上に押し込むことができ（第２端部は、そのような押し込みを容易にするように配置することができる）、その際、ペッグの軸方向に延在する表面部分に沿った鋭いエッジまたは接着剤は、シートを手作業で取り除くまで、ペッグの周囲のシートを効果的に保持するであろう。
【０００７】
ペッグは、ハンガの裏当ての上の固定使用位置に取り付けることができるが、ペッグが前記ベースの外表面に沿って延在する保管位置と、前記ペッグの軸がベースの担持表面に対して略直角である上述した使用位置との間で、ペッグが移動することができるように、ハンガの裏打ちの上にペッグを取り付けることが望ましいこともある。そのようなペッグの保管位置は、ハンガにカレンダなどの薄い物体を付け、実装することを容易にすることができる。
【０００８】
ベースは、ねじまたはくぎなどの機械固定具、あるいは適切な接着剤を含む任意の手段によって、垂直表面に沿って取り付けることができる。１つの特に便利な取付け手段は、「コマンド」（Ｃｏｍｍａｎｄ）という商品名で、ミネソタ州セントポールのミネソタ・マイニング・アンド・マニュファクチャリング・カンパニー（Ｍｉｎｎｅｓｏｔａ　Ｍｉｎｉｎｇ　ａｎｄ　Ｍａｎｕｆａｃｔｕｒｉｎｇ　Ｃｏｍｐａｎｙ，Ｓｔ．Ｐａｕｌ，Ｍｉｎｎｅｓｏｔａ）によって販売されている所定長さの伸張はく離接着剤（ａ　ｌｅｎｇｔｈ　ｏｆ　ｔｈｅ　ｓｔｒｅｔｃｈ　ｒｅｌｅａｓｅ　ａｄｈｅｓｉｖｅ）である。「パワーストリップス」（Ｐｏｗｅｒ　Ｓｔｒｉｐｓ）という商品名でドイツのハンブルグにあるバイアースドルフ・エー・ジー（Ｂｅｉｅｒｓｄｏｒｆ　ＡＧ，Ｈａｍｂｕｒｇ，Ｇｅｒｍａｎｙ）によって販売されている伸張はく離接着剤も、使用することができる。
【０００９】
本発明には、添付の図面を参照してさらに記載する。同じ部分には、いくつかの図で同じ参照符号が付けられている。
【００１０】
（発明を実施するための最良の形態）
ここで図面の図１、２、および３を参照すると、全体を参照符号１０によって示した、本発明によるハンガの第１実施形態が示されている。一般に、ハンガ１０は、略垂直な表面に沿って配置され、かつ以下で記載する所定長さ１４の伸張はく離接着剤によって、その垂直表面に接着されるように構成された担持表面１３を有するベース１２を備える。ハンガ１０には、また、縦軸１７を有する細長い突出部またはペッグ１６と、縦方向に間隔をおいて配置された第１端部１８および第２端部１９とが含まれる。第１端部１８に隣接するペッグ１６の部分は、ベース１２の上に取り付けられ、ペッグ１６の軸１７は、担持表面１３に対して略直角であり、第２端部１９に隣接するペッグ１６の部分は、表面１３に対向するベース１２の外表面１５から突出する。ペッグ１６は、ベースの外表面１５から、近接して配置された鋭いエッジ（すなわちペッグ１６の周囲のねじ山またはリッジ）によって画定された第２端部１９まで、軸方向に伸びる表面部分２０を有し、表面部分２０は、ベース１２の担持表面１３が、略垂直な表面に沿って配置されたとき、最上部に位置するように構成される。表面部分２０に沿ったねじ山の上の鋭いエッジは、ペッグ１６の周囲に配置され、かつペッグ１６にかけられた紙のシートが、ペッグ１６の軸方向に移動することを制限する。
【００１１】
例として、ペッグ１６は、ベース１２を通してねじ切られたＮｏ．４−４０または４−４８の金属ねじまたは高分子ねじによって形成することができる。ベース１２は、金属材料または高分子材料で作製される。ペッグまたはねじ１６は、ベース１２の外表面１５から、約０．１５から０．３０インチ、すなわち０．３８から０．７６ｃｍ（たとえば、約０．２インチすなわち０．５）の範囲で突出することができる。ペッグまたはねじ１６は、カレンダに通常事前に形成されたタイプの開口において容易に受けられるように、十分に小さい直径（すなわち、約０．１１インチすなわち０．２８ｃｍ）を有する。開口は、約０．１２インチすなわち０．３ｃｍから約０．２５インチすなわち０．６４ｃｍの範囲の直径を有することがわかっており、大多数は、一般に、０．１７インチすなわち０．４３ｃｍから、０．１９インチすなわち０．４８ｃｍの範囲にある。図３からわかるように、約０．１７インチすなわち０．４３ｃｍの直径を有する範囲に円形開口２３を有するシート２２は、ペッグが、Ｎｏ．４−４０または４−４８のねじによって形成されたとき、ペッグ１６の周囲に容易に配置することができ、その１枚のシートまたはカレンダの全シートの一部は、動かしているシート１１または複数のシートを破る危険を冒さずに、水平方向に延在する短いペッグ１６の上に、またはそのペッグから、容易に動かすことができる。しかし、シート２２または複数のシートが、ペッグ１６の周囲に配置され、かつペッグ１６にかけられたとき、ペッグ１６の上面部分２０に沿ったねじ山またはリッジ２５の上の鋭いエッジは、ペッグ１６に沿った軸方向に運動に対し、シート２２または複数のシートを効果的に保持する。
【００１２】
ハンガ１０は、ペッグ１６より大きい、ペッグ１６受け用の位置合わせされた実装開口をシートに有する（シート２２の開口２３など）多数シート文書をかけるのに有用であるが、ハンガ１０は、そのような実装開口のない、またはペッグ１６より小さい実装開口を有する、１枚以上のシートをかけるのにも非常に有用である。そのようなシート（手紙、メモ、請求書、レストランの注文書など）は、ペッグ１６の外端部または第２端部１９の上に押し込むことができ、図示したように、第２端部１９は、その上にシートを押し込むことを容易にするように一般に尖らせることができ、その結果、ペッグ１６の軸方向に延在する表面部分２０に沿ったリッジまたはねじ山の上の鋭いエッジは、シートを手作業で取り外すまで、ペッグ１６の周囲とその上にかけられたシートを効果的に保持する。
【００１３】
略垂直な表面に沿ってベース１２の担持表面１３を接着させるその長さ１４の伸張はく離接着剤は、「コマンド」（Ｃｏｍｍａｎｄ）という商品名で、ミネソタ州セントポールのミネソタ・マイニング・アンド・マニュファクチャリング・カンパニー（Ｍｉｎｎｅｓｏｔａ　Ｍｉｎｉｎｇ　ａｎｄ　Ｍａｎｕｆａｃｔｕｒｉｎｇ　Ｃｏｍｐａｎｙ，Ｓｔ．Ｐａｕｌ，Ｍｉｎｎｅｓｏｔａ）によって販売されている所定長さの伸張はく離接着剤とすることができる。「パワーストリップス」（Ｐｏｗｅｒ　Ｓｔｒｉｐｓ）という商品名で、ドイツのハンブルグにあるバイアースドルフ・エー・ジー（Ｂｅｉｅｒｓｄｏｒｆ　ＡＧ，Ｈａｍｂｕｒｇ，Ｇｅｒｍａｎｙ）から販売されている伸張はく離接着剤も使用することができる。その長さ１４の伸張はく離接着剤の１つの表面（ｏｎｅ　ｓｕｒｆａｃｅ　ｏｆ　ｔｈｅ　ｌｅｎｇｔｈ　１４　ｏｆ　ｓｔｒｅｔｃｈ　ｒｅｌｅａｓｅ　ａｄｈｅｓｉｖｅ）は、担持表面１３に接着される。その長さ１４の伸張はく離接着剤を使用して、ベース１２を垂直表面に取り付けるために、はく離ライナが、ベース１２に対向する側面から除去され、接着剤１４の暴露された面が、垂直表面に接着される。いくらか後にハンガ１０を垂直表面から取り外すことが所望である場合、ベース１２の１つの縁を超えて突出するその長さ１４の接着剤のタブ部分２６を手でつかんで、垂直表面に沿ってベース１２から引き離し、その長さ１４の接着剤を伸張して細長くし、ベース１２の垂直表面と担持表面１３への接着取付けをはく離させる。その長さ１４の伸張薄利接着剤の代替として、機械固定具（ねじまたはくぎなど）などの他の適切な手段、または適切な非伸張性はく離接着剤によって、ベース１２の担持表面１３を垂直表面に取り付けることができる。
【００１４】
ここで図面の図４、５、および６を参照すると、全体を参照番号３０で示した、本発明によるハンガの第２実施形態が示されている。一般に、ハンガ３０は、略垂直な表面に沿って配置され、かつ上述した所定長さ３４の同じ伸張はく離接着剤によって垂直表面に接着されるように構成された担持表面３３を有するベース３２を備える。ハンガ３０には、また、縦軸３７と、縦方向に間隔をおいて配置された第１端部３８および第２端部３９とが含まれる。第１端部３８に隣接するペッグ３６の部分は、ベース３２の上に取付けられ、ペッグ３６の軸３７は、ベースの担持表面３３に対して略直角であり、第２端部３９に隣接するペッグ３６の部分は、担持表面３３に対向する、ベース３２の外表面３５から突出する。ペッグ３６は、ベースの外表面３５から、近接して配置された鋭いエッジ（すなわち、ペッグ３６の上端は、表面部分４０に沿ったエッジを有するピークを形成するように、鋸歯化またはローレット切りされる）によって画定される第２端部３９まで軸方向に延在する表面部分４０を有し、表面部分４０は、ベース３２の担持表面３３が、略垂直な表面に沿って配置されたとき、最上部に位置するように構成される。表面部分４０に沿ったそれらの鋭いエッジの上のエッジは、ペッグ３６の周囲に配置され、かつそのペッグの周囲にかけられた紙のシートが、ペッグ３６の軸方向に移動することを制限する。
【００１５】
例として、ペッグ３６は、金属材料または高分子材料で形成して、表面部分４０に沿って鋸歯化またはローレット切りして、ペッグ３６に沿って縦方向に線インチあたり約６０から１００ピーク、または線ｃｍあたり約２３から４０ピークを提供するようにすることができ、ペッグ３６は、ベース３２の外表面３５から、約０．１５から０．３０インチすなわち０．３８から０．７６ｃｍの範囲で（たとえば、約０．２インチすなわち０．５）、突出することができる。ペッグ３６は、カレンダに通常形成されるタイプの開口において容易に受けられるように、十分小さい直径を有するべきである（たとえば、約０．１７インチすなわち０．４３ｃｍ未満、好ましくは、約０．１１インチすなわち０．２８ｃｍ未満）。
【００１６】
ハンガ１０と同様に、ハンガ３０は、ペッグ３６より大きい、ペッグ３６受け用の位置合わせされた実装開口をシートに有する多数シート文書をかけるのに有用である。そのような実装開口のない、またはペッグ３６より小さい実装開口を有する、１枚以上のシートをかけるのにも有用であることがある。そのようなシートは、ペッグ３６の外端部または第２端部３９の上に押し込むことができ、この端部は、図示したように平坦とすることができ、または代替として、端部の上にシートを押し込むことを容易にするように、一般に尖らせることができ、その結果、軸方向に延在する表面部分４０に沿ったピークの上の鋭いエッジは、シートを手作業で取り外すまで、ペッグ３６の周囲およびその上にかけられたシートを効果的に保持する。
【００１７】
ここで図面の図７を参照すると、全体を参照符号４６によって示した、本発明によるハンガの第３実施形態に含まれるペッグ４５のセクション図が示されている。ハンガ４６には、ベースと、ベースの担持表面に接着された所定長さの伸張はく離接着剤とが含まれ、これらは、図示されていないが、ハンガ３０のベース３２およびその長さ３４の伸張はく離接着剤と本質的に同じである。ハンガ４６は、ピークの構造のみがハンガ３０とは異なり、ピークは、ハンガ４６のベースから突出するペッグ４５の表面部分４７に沿った鋭いエッジを提供し、ペッグの軸は、ベースの担持表面に直角である。ハンガ４６のベースが、表面部分４７が最上部の状態で、垂直表面に接着されるとき、表面部分４７の上で、材料のシートは担持され、または表面部分４７の上にかけられる。鋸歯化またはローレット切りによって形成する代わりに、ハンガ４６のペッグ上のピークは、ペッグ４５の表面に４９に沿って接着された研磨顆粒４８（約１２０グリットなど）のコーティングによって提供される。
【００１８】
ここで図面の図８を参照すると、全体を参照符号５０によって示した、本発明によるハンガの第４実施形態に含まれるペッグ５１の断面図が示されている。ハンガ５０には、ベースと、ベースの担持表面に接着された伸張はく離接着剤とが含まれ、これらは、図示されていないが、ハンガ３０のベース３２およびその長さ３４の伸張はく離接着剤と本質的に同じ構造を有する。ペッグ５１は、ハンガ５０のベースから突出し、ペッグの軸は、ベースの担持表面に対して直角である。ハンガ５０は、ペッグ５１の構造のみがハンガ３０とは異なり、その構造は、ペッグ５１の表面部分５４を画定し、ハンガ５０のベースが、表面部分５４が最上部の状態で、垂直表面に接着されたとき、その表面部分５４の上で、材料のシートは担持され、または表面部分５４の上にかけられる。ローレット切りまたは他の手段によって形成されたピークまたは鋸歯、あるいは研磨顆粒によって形成されたピークを有する代わりに、ハンガ５０のペッグ５１は、表面部分５４を画定するペッグ５１の表面５７に沿って、接着剤のコーティング５６を有する。表面部分５４を画定する接着剤は、ペッグ５１の周囲に配置され、かつその上にかけられた紙のシートの縁との、摩擦による軽い接着係合を提供して、シートが、ペッグ５１の軸方向に移動することを制限する。非限定的な例として、適切な接着剤には、「ＶＨＢ接着テープＮｏ．Ｆ−９４７３ＴＣ」（ＶＨＢ　ａｄｈｅｓｉｖｅ　ｔａｐｅ　Ｎｏ．Ｆ−９４７３１ＴＣ）という商品名で、ミネソタ州セントポールのミネソタ・マイニング・アンド・マニュファクチャリング・カンパニー（Ｍｉｎｎｅｓｏｔａ　Ｍｉｎｉｎｇ　ａｎｄ　Ｍａｎｕｆａｃｔｕｒｉｎｇ　Ｃｏｍｐａｎｙ，Ｓｔ．Ｐａｕｌ，Ｍｉｎｎｅｓｏｔａ）によって販売されている透明な接着トランスファ・テープの安定圧感接着剤がある。
【００１９】
ここで、図面の図９、１０、および１１を参照すると、全体を参照符号６０によって示した、本発明によるハンガの第５実施形態が示されている。一般に、ハンガ６０は、略垂直な表面に沿って配置され、かつ上述した所定長さ６４の同じ伸張はく離接着剤のによって、その垂直表面に接着されるように構成された担持表面６３を有するベース６２を備える。ハンガ６０には、また、縦軸６７を有する細長い突出部またはペッグ６６と、縦方向に間隔をおいて配置された第１端部６８および第２端部６９とが含まれる。第１端部６８に隣接するペッグ６６の部分は、ベース６２の上に取り付けられ、（１）ペッグ６６の軸６７が、ベース６２の担持表面６３に対して略直角であり、第２端部６９に隣接するペッグ６６の部分が、担持表面６３に対向する、ベース６２の外表面６５から突出している、使用位置（図１１）と、（２）ペッグ６６が、ベース６２の外表面６５によって画定された溝に沿って延在する、保管位置（図９および１０）との間で、ペッグ６６が移動できるようにする。ペッグ６６は、ベース６２の外表面６５から第２端部６９まで、軸方向に延在する表面部分７０を有する（ペッグ６６が、図１１に示した使用位置にあるとき）。その表面部分７０は、鋭い遠位エッジを有する近接して配置された横方向に延在するリッジによって画定され、ベース６２の担持表面６３が、略垂直な表面に沿って配置されたとき、最上部に配置されるように構成される。表面部分７０を画定するそれらの鋭いエッジは、ペッグ６６の周囲に配置され、かつペッグ６６の上にかけられた紙のシートが、ペッグの軸方向に移動することを制限する。
【００２０】
ベース６２と表面部分７０を画定する横リッジを含んでいるペッグ６６とは、ペッグ６６が保管位置にある状態で、高分子材料（ナイロン、ポリスチレン、またはポリカーボネートなど）で一体的に成型することができ、成型には、ベース６２と、ペッグ６６の第１端部６８との間の薄い湾曲可能セクション７１（「一体丁番」と呼ばれることがある）が含まれる。ペッグ６６は、ペッグ６６上の表面７２が、ベース上の表面７３と接して、使用位置を画定するまで、薄い湾曲可能セクション７１を湾曲させることによって、使用位置に移動することができる。
【００２１】
ペッグ６６の保管位置（図９および１０）は、ハンガ６０に、カレンダなどの薄い物体を提供して、実装することを容易にするが、その理由は、保管位置では、ペッグ６６は、ベース６２の外表面６５より上に突出しないからである。
【００２２】
表面部分７０は、縦方向にペッグ６６に沿って、１インチ当たり約４０のリッジ、または１ｃｍあたり約１５．８のリッジによって画定することができる。ペッグ６６は、約０．１５から０．３０インチ、すなわち０．３８から０．７６ｃｍの範囲で（たとえば約０．２インチすなわち０．５ｃｍ）、ベース６２の外表面６５から突出することができる。ペッグ６６は、ほとんどのカレンダに形成されるタイプの開口において容易に受けられるように、十分小さい直径を有する（たとえば、約０．１７インチすなわち０．４３ｃｍ未満の直径で、好ましくは約０．１１インチすなわち０．２８ｃｍの直径）。
【００２３】
ハンガ１０と同様に、ハンガ６０は、ペッグ６６より大きい、ペッグ６６受け用の位置合わせされた実装開口をシートに有する多数シート文書をかけるのに有用であり、また、そのような実装開口のない、またはペッグ６６より小さい実装開口を有する、１枚以上のシートをかけるのにも有用であることがある。そのようなシートは、ペッグの外端部または第２端部６９の上に押し込むことができ、第２端部は、その上にシートを押し込むことを容易にするために、示したように丸くすることができ、または代替として、より尖らせることができ、その結果、ペッグ６６の軸方向に延在する表面部分７０に沿って間隔をおいて配置されたリッジの上の鋭いエッジは、ペッグ６６の周囲にかけられたシートを手作業で取り外すまで、効果的に保持する。
【００２４】
ここで、本発明の実施形態とその修正について、本発明を記載する。本発明の範囲から逸脱せずに、多くの変更を実施形態において実施することができることが、当業者には明らかになるであろう。たとえば、上述した一般的なタイプのハンガは、カレンダまたは他の多数シート物体以外の品目をかけるために、利点を提供することができる。たとえば、販売品目がプラスチックの「ブリスタ・パック」などによって添付されたカードを、そのようなハンガからかけて、市販用に表示することができる。この目的に使用されるそのようなハンガは、市販に適した数のカードに対応するように、上述したペッグより長く（たとえば、２から６インチまたは５から１５ｃｍの長さ）、より大きな直径（たとえば、０．１５から０．２インチ（０．３８から０．５ｃｍ）またはそれ以上）のペッグを有することができる。同様に、上述した一般的なタイプのハンガは、用具（ほうきまたは園芸用具など）などの他の品目をかけるのに有用とすることができる。これらの用具は、用具を上にかけることができるペッグを受けるために、木のハンドルに貫通開口を有し、そのようなハンガの上のペッグも、カレンダまたは他の多数シート物体の上で使用する上述したペッグより長く、直径も大きい。したがって、本発明の範囲は、本出願に記載した構造によってではなく、請求項とその等価物の文体によって記載された構造によって限定されるべきである。
【図面の簡単な説明】
【図１】本発明によるハンガの第１実施形態の側面図である。
【図２】図１のハンガの正面図である。
【図３】ハンガに含まれているペッグにかけられたシートを示す、図１のハンガの拡大断片正面図である。
【図４】本発明によるハンガの第２実施形態の側面図である。
【図５】図４のハンガの正面図である。
【図６】ほぼ図４の線６−６に沿って取られた拡大断面図である。
【図７】本発明によるハンガの第３実施形態に含まれるペッグの断面図である。
【図８】本発明によるハンガの第４実施形態に含まれるペッグの断面図である。
【図９】ペッグが保管位置に配置されたハンガに含まれている、本発明によるハンガの第５実施形態の正面図である。
【図１０】ほぼ図９の線１０−１０に沿って取った拡大断面図である。
【図１１】ペッグが使用位置に配置されたハンガに含まれている、図９の側面図である。
【国際公開パンフレット】
2004512123.tif 000003
2004512123.tif 000004
2004512123.tif 000005
2004512123.tif 000006
2004512123.tif 000007
2004512123.tif 000008
2004512123.tif 000009
2004512123.tif 000010
2004512123.tif 000011
2004512123.tif 000012
2004512123.tif 000013
2004512123.tif 000014
2004512123.tif 000015
2004512123.tif 000016
2004512123.tif 000017
2004512123.tif 000018
2004512123.tif 000019
【手続補正書】
【提出日】平成14年6月12日(2002.6.12)
【手続補正１】
【補正対象書類名】明細書
【補正対象項目名】特許請求の範囲
【補正方法】変更
【補正の内容】
【特許請求の範囲】
【請求項１】
紙シート・ハンガ（１０、３０、４６、５０、６０）であって、
略垂直な表面に沿って配置されるように構成された担持表面（１３、３３、６３）と、対向する外表面（１５、３５、６５）とを有するベース（１２、３２、６２）と、
縦軸と、縦方向に間隔をおいて配置された第１端部および第２端部（１８、１９；３８、３９；６８、６９）とを有する細長いペッグ（１６、３６、４５、５１、６６）であって、前記第１端部（１８、３８、６８）に隣接する前記ペッグ（１６、３６、４５、５１、６６）の一部が、使用位置において前記ベース（１２、３２、６２）に取り付けられ、前記ペッグ（１６、３６、４５、５１、６６）の軸が前記担持表面（１３、３３、６３）に対して概ね直角であり、前記第２端部（１９、３９、６９）に隣接する前記ペッグ（１６、３６、４５、５１、６６）の少なくとも一部が、前記外表面（１５、３５、６５）から突出しており、前記担持表面（１３、３３、６３）が、略垂直な表面に沿って配置されたとき、前記ペッグ（１６、３６、４５、５１、６６）が、最上部に配置されるように構成された軸方向に延在する表面部分（２０、４０、４７、５４、７０）を有し、前記ペッグ（１６、３６、４５、５１、６６）の前記軸方向に延在する表面部分（２０、４０、４７、５４、７０）のみは、前記ペッグ（１６、３６、４５、５１、６６）の軸方向に関して、前記ペッグ（１６、３６、４５、５１、６６）の周囲で紙のシート（２２）が自由に移動することを制限するような細長いペッグ（１６、３６、４５、５１、６６）と、
を備える紙シート・ハンガ（１０、３０、４６、５０、６０）。
【請求項２】
前記ペッグ（１６、３６、４５、６６）の前記軸方向に延在する表面部分（２０、４０、４７、７０）は、前記ペッグ（１６、３６、４５、６６）の軸方向に関して、前記ペッグ（１６、３６、４５、６６）の周囲で紙のシート（２２）が自由に移動することを制限する近接して配置された鋭いエッジを画定する、請求項１に記載の紙シート・ハンガ（１０、３０、４６、６０）。
【請求項３】
前記鋭いエッジが、前記ペッグ（１６）の軸の周囲に延在するねじ山（２５）によって画定される、請求項２に記載の紙シート・ハンガ（１０）。
【請求項４】
前記ペッグ（３６、６６）が、前記鋭いエッジを有するピークを形成するように鋸歯化される、請求項２に記載の紙シート・ハンガ（３０、６０）。
【請求項５】
前記ペッグ（４５）が、前記鋭いエッジを有する研磨顆粒（４８）のコーティングを含む、請求項２に記載の紙シート・ハンガ（４６）。
【請求項６】
前記ペッグ（６６）が、前記鋭いエッジを有する前記軸方向に延在する表面部分（７０）の上にのみ、軸方向に間隔をおいて配置された横方向リッジを有する、請求項２に記載の紙シート・ハンガ（６０）。
【請求項７】
前記ペッグ（５１）は、前記ペッグ（５１）の軸方向に関して、前記ペッグ（５１）の周囲で紙のシート（２２）が自由に移動することを制限する前記ペッグ（５１）の前記軸方向に延在する表面部分（５４）を画定する接着剤のコーティング（５６）を含む、請求項１に記載の紙シート・ハンガ（１０）。
【請求項８】
前記ペッグ（１６）の前記第２端部（１９）が、尖っている、請求項１〜７のいずれか一項に記載の紙シート・ハンガ（１０）。
【請求項９】
前記ペッグ（１６、３６、４５、５１、６６）が、０．１７インチ（０．４３ｃｍ）未満の直径を有し、前記第２端部（１９、３９、６９）に隣接する前記ペッグ（１６、３６、４５、５１、６６）の前記一部が、０．１５から０．３０インチ（０．３８から０．７６ｃｍ）の範囲の距離だけ、前記ベース（１２、３２、６２）の前記外表面（１５、３５、６５）から突出する、請求項１〜８のいずれか一項に記載の紙シート・ハンガ（１０、３０、４６、５０、６０）。
【請求項１０】
前記ペッグ（１６、３６、４５、５１、６６）が、０．１１インチ（０．２８ｃｍ）の直径を有し、前記第２端部（１９、３９、６９）に隣接する前記ペッグ（１６、３６、４５、５１、６６）の前記一部が、０．１５から０．３０インチ（０．３８から０．７６ｃｍ）の範囲の距離だけ、前記ベース（１２、３２、６２）の前記外表面（１５、３５、６５）から突出する、請求項１〜９のいずれか一項に記載の紙シート・ハンガ（１０、３０、４６、５０、６０）。
【請求項１１】
前記ベース（１２、３２、６２）の前記担持表面（１３、３３、６３）に接着され、かつ略垂直な表面に前記ベース（１２、３２、６２）を接着するように構成された所定長さの伸張はく離接着剤をさらに含む、請求項１〜１０のいずれか一項に記載の紙シート・ハンガ（１０、３０、４６、５０、６０）。
【請求項１２】
前記第１端部（６８）に隣接する前記ペッグ（６６）の前記一部は、前記使用位置と、前記ペッグ（６６）が前記ベース（６２）の前記外表面（６５）に沿って延在する保管位置との間で、前記ペッグ（６６）が移動するように、前記ベース（６２）の上に取り付けられる、請求項１〜１１のいずれか一項に記載の紙シート・ハンガ（６０）。
【請求項１３】
貫通開口を有する、少なくとも１枚の紙のシート（２２）と、
紙のシート（２２）用の紙シート・ハンガ（１０、３０、４６、５０、６０）であって、
略垂直な表面に沿って配置されるように構成された担持表面（１３、３３、６３）と、対向する外表面（１５、３５、６５）とを有するベース（１２、３２、６２）と、
縦軸と、縦方向に間隔をおいて配置された第１端部および第２端部（１８、１９；３８、３９；６８、６９）とを有する細長いペッグ（１６、３６、４５、５１、６６）であって、前記第１端部（１８、３８、６８）に隣接する前記ペッグ（１６、３６、４５、５１、６６）の一部が、前記ベース（１２、３２、６２）の上に取り付けられ、前記ペッグ（１６、３６、４５、５１、６６）の軸が、前記担持表面（１３，３３，６３）に対して略直角であり、前記第２端部（１９，３９，６９）に隣接する前記ペッグ（１６、３６、４５、５１、６６）の少なくとも一部が、前記外表面（１５、３５、６５）から突出し、かつ近接して配置された鋭いエッジを画定する軸方向に延在する表面部分（２０、４０、４７、５４、７０）を有し、前記第２端部（１９、３９、６９）に隣接する前記ペッグ（１６、３６、４５、５１、６６）の前記一部が、前記紙のシート（２２）の前記開口を通って延在し、前記担持表面（１３、３３、６３）が、略垂直な表面に沿って配置されたとき、前記表面部分（２０、４０、４７、５４、７０）が、最上部に配置されるように構成される前記鋭いエッジを画定し、これにより、前記鋭いエッジのみは、ペッグ（１６、３６、４５、５１、６６）の軸方向に関して、前記ペッグ（１６、３６、４５、５１、６６）の周囲で前記紙のシート（２２）が移動することを制限するような細長いペッグ（１６、３６、４５、５１、６６）と、を備える紙シート・ハンガ（１０、３０、４６、５０、６０）と、
を含む組合わせ。
【請求項１４】
前記鋭いエッジが、前記ペッグ（１６）の前記軸の周囲に延在するねじ山（２５）によって画定される、請求項１３に記載の組合わせ。
【請求項１５】
前記ペッグ（３６、６６）が、前記鋭いエッジを有するピークを形成するように鋸歯化される、請求項１３に記載の組合わせ。
【請求項１６】
前記ペッグ（４５）が、前記鋭いエッジを有する研磨顆粒（４８）のコーティングを含む、請求項１３に記載の組合わせ。
【請求項１７】
前記ペッグ（１６）の前記第２端部（１９）が、尖っている、請求項１３〜１６のいずれか一項に記載の組合わせ。
【請求項１８】
略垂直な表面に沿って配置されるように構成された担持表面（６３）と、対向する外表面（６５）とを有するベース（６２）と、
縦軸と、縦方向に間隔をおいて配置された第１端部および第２端部（６９）とを有する細長いペッグ（６６）あって、前記第２端部（６９）に隣接する前記ペッグ（６６）の少なくとも一部が、近接して配置された鋭いエッジを画定する軸方向に延在する表面部分（７０）を有するような細長いペッグ（６６）と、
を備え、
前記第１端部（６８）に隣接する前記ペッグ（６６）の一部は、前記ペッグ（６６）が前記ベース（６２）の外表面（６５）に沿って延在する保管位置と、前記ペッグ（６６）の軸が前記担持表面（６３）に対して概ね直角である使用位置との間で、前記ペッグ（６６）が移動するように前記ベース（６２）の上に取り付けられ、前記第２端部（６９）に隣接する前記ペッグ（６６）の前記一部が、前記外表面（６５）から突出し、これにより、前記担持表面（６３）が略垂直な表面に沿って配置され、前記ペッグ（６６）の軸方向に関して、前記ペッグ（６６）の周囲の紙のシート（２２）の移動が制限されるとき、前記鋭いエッジを最上部に位置決めすることができる紙シート・ハンガ（６０）。
【請求項１９】
前記鋭いエッジが、前記ペッグ（６６）に沿って軸方向に間隔をおいて配置された横方向リッジによって画定される、請求項１８に記載の紙シート・ハンガ（６０）。
【国際調査報告】
2004512123.tif 000020
2004512123.tif 000021
2004512123.tif 000022